(57)【特許請求の範囲】
【請求項１】
オイルポンプと、
プライマリプーリと、セカンダリプーリと、両プーリに掛け渡されるプーリベルトと、を有し、前記オイルポンプからの吐出圧に基づいて調圧された変速油圧によりプーリ幅が変更されることで変速比が制御されるバリエータと、
走行中、前記バリエータの目標変速比が決まると、前記目標変速比に応じて調圧されたプライマリ圧とセカンダリ圧を、前記プライマリプーリと前記セカンダリプーリにそれぞれ供給する変速油圧制御部と、を備え、
前記変速油圧制御部は、前記セカンダリ圧を低下させても前記バリエータの変速比が変化しないプーリ回転速度になると、前記セカンダリ圧を低下させる制御を開始するとともに、前記セカンダリ圧を低下させる制御を行うとき、油圧低下による到達目標であるセカンダリ目標圧を、前記オイルポンプからの油圧系を加振源として発生するオイルポンプノイズが低減される油圧領域の最大圧に設定する無段変速機の変速油圧制御装置。
【請求項２】
請求項１に記載された無段変速機の変速油圧制御装置において、
前記変速油圧制御部は、前記プライマリプーリと前記セカンダリプーリのうち、少なくとも一方のプーリ回転速度が停止状態になると、前記セカンダリ圧を低下させても前記バリエータの変速比が変化しないプーリ回転速度になったと判断する無段変速機の変速油圧制御装置。
【請求項３】
請求項１又は請求項２に記載された無段変速機の変速油圧制御装置において、
前記プライマリプーリと前記セカンダリプーリのうち少なくとも一方のプーリ回転速度を、パルス波信号のカウント回数であるパルスカウント数により検出するプーリ回転速度センサを設け、
前記変速油圧制御部は、前記セカンダリ圧を低下させる制御を開始した後、前記プーリ回転速度センサからのパルスカウント数が閾値以上になると、前記セカンダリ圧を低下させる制御を終了する無段変速機の変速油圧制御装置。
【請求項４】
請求項１から請求項３までの何れか一項に記載された無段変速機の変速油圧制御装置において、
前記変速油圧制御部は、前記セカンダリ圧を低下させる制御を行うとき、前記プライマリ圧の油圧低下を抑えるプライマリ下限圧を、前記プライマリプーリと前記セカンダリプーリとのバランス推力により設定される油圧より高い油圧に設定する無段変速機の変速油圧制御装置。
【請求項５】
請求項１から請求項４までの何れか一項に記載された無段変速機の変速油圧制御装置において、
前記変速油圧制御部は、前記セカンダリプーリへのセカンダリ指令圧に対しセカンダリ実圧が低下し、セカンダリ指令圧とセカンダリ実圧との差分が所定値以上となったら、前記セカンダリ圧を低下させる制御を終了する無段変速機の変速油圧制御装置。
【請求項６】
オイルポンプと、
プライマリプーリと、セカンダリプーリと、両プーリに掛け渡されるプーリベルトと、を有し、前記オイルポンプからの吐出圧に基づいて調圧された変速油圧によりプーリ幅が変更されることで変速比が制御されるバリエータと、
を備える車両において、
走行中、前記バリエータの目標変速比が決まると、前記目標変速比に応じて調圧されたプライマリ圧とセカンダリ圧を、前記プライマリプーリと前記セカンダリプーリにそれぞれ供給し、
前記セカンダリ圧を低下させても前記バリエータの変速比が変化しないプーリ回転速度になると、前記セカンダリ圧を低下させる制御を開始するとともに、前記セカンダリ圧を低下させる制御を行うとき、油圧低下による到達目標であるセカンダリ目標圧を、前記オイルポンプからの油圧系を加振源として発生するオイルポンプノイズが低減される油圧領域の最大圧に設定する無段変速機の変速油圧制御方法。
【発明の詳細な説明】
【技術分野】
【０００１】
本発明は、オイルポンプからの吐出油に基づいて調圧された変速油圧をバリエータのプライマリプーリとセカンダリプーリに供給する無段変速機の変速油圧制御装置及び制御方法に関する。
【背景技術】
【０００２】
従来、電動オイルポンプを駆動するに際して発生するノイズ（騒音）を低減すべく、電動オイルポンプの駆動周波数を車両状態に応じて変更する車両用電動オイルポンプの制御装置が知られている（例えば、特許文献１参照）。【０００３】
上記従来技術で発生するノイズ（騒音）は、電動オイルポンプで発生しているが、電動オイルポンプに限られず、エンジンにより駆動されるオイルポンプにおいても発生する。また、上記従来技術で発生するノイズ（騒音）は、電動オイルポンプ単体にて発生しているが、ノイズの発生はこのようにオイルポンプ単体に限られず、オイルポンプと他の回転体（例えば、セカンダリプーリ）との間における共振現象によっても発生する。【０００４】
即ち、エンジンにより駆動されるオイルポンプからセカンダリプーリまでのセカンダリ圧油路を通過する油圧の変動成分を加振源とし、セカンダリ圧油路の付近に設けられた変速機取付け部品と共振することによりオイルポンプノイズが発生することがある。このオイルポンプノイズが、道路ノイズやエンジン音等が走行中に比べて小さい停車直前状態や停車状態で発生すると、運転者にとって違和感になりやすい、という問題があった。【０００５】
本発明は、上記問題に着目してなされたもので、ベルト滑りや意図しない変速が発生することを抑制しつつ、運転者にとって違和感になるオイルポンプノイズの発生を低減することを目的とする。
【先行技術文献】
【特許文献】
【０００６】
【特許文献１】特開２０１５−０２１５１２号公報
【発明の概要】
【０００７】
上記目的を達成するため、本発明は、オイルポンプと、オイルポンプからの吐出圧に基づいて調圧された変速油圧によりプーリ幅が変更されることで変速比が制御されるバリエータと、変速油圧制御部と、を備える。変速油圧制御部は、走行中、バリエータの目標変速比が決まると、目標変速比に応じて調圧されたプライマリ圧とセカンダリ圧を、プライマリプーリとセカンダリプーリにそれぞれ供給する。セカンダリ圧を低下させてもバリエータの変速比が変化しないプーリ回転速度になると、セカンダリ圧を低下させる制御を開始する。
【０００８】
例えば、ＤレンジやＲレンジでの停車中にオイルポンプノイズが発生すると、運転者にとって違和感になる。これに対し、本発明者等は、オイルポンプノイズの発生原因がセカンダリ圧の変動成分にあり、セカンダリ圧を低減するとオイルポンプノイズも低減し、違和感が改善することを知見した。この点に着目し、セカンダリ圧を低下させてもバリエータの変速比が変化しないプーリ回転速度、つまり、プライマリ圧とセカンダリ圧のバランス圧が崩れても変速しない車両状態になると、セカンダリ圧を低下させる制御を開始するようにした。この結果、車両状態にかかわらずセカンダリ圧の低下制御を開始することによるベルト滑りや意図しない変速が発生することを抑制しつつ、運転者にとって違和感になるオイルポンプノイズの発生を低減することができる。
【図面の簡単な説明】
【０００９】
【図１】実施例１の無段変速機の変速油圧制御装置及び制御方法が適用されたエンジン車の駆動系と制御系を示す全体システム図である。
【図２】エンジン車の駆動系に搭載されたバリエータにより変速油圧制御を実行する際に用いられる変速スケジュールの一例を示す変速スケジュール図である。
【図３】エンジン車のパワーユニット室に車体への弾性支持により搭載されるベルト式無段変速機ユニットの外観概要を示す外観構成図である。
【図４】実施例１のＣＶＴコントロールユニットで実行される変速油圧制御処理の流れを示すフローチャートである。
【図５】ノイズ低減制御を終了する抜け条件の一つであるSEC実圧低下条件が成立するときのF/B後SEC指令圧・SEC指令圧・SEC実圧の各特性を示すタイムチャートである。
【図６】ノイズ低減制御が実行するときのアクセル操作・ブレーキ操作・車速・勾配・エンジン回転速度・プライマリパルス・タイマー値・制御進入フラグ・SEC指令圧・PRI指令圧・PRI下限圧の各特性を示すタイムチャートである。
【図７】ノイズ低減制御が開始される図６の矢印Ｈで囲まれる領域を拡大したF/B後SEC指令圧・SEC指令圧・SEC実圧の各特性を示すタイムチャートである。
【発明を実施するための形態】
【００１０】
以下、本発明の無段変速機の変速油圧制御装置及び制御方法を実現する最良の形態を、図面に示す実施例１に基づいて説明する。
【実施例１】
【００１１】
まず、構成を説明する。実施例１における変速油圧制御装置及び制御方法は、バリエータと呼ばれるベルト式無段変速機構を搭載したエンジン車に適用したものである。以下、実施例１の構成を、「全体システム構成」、「セカンダリ圧油路構成」、「変速油圧制御処理構成」に分けて説明する。【００１２】
［全体システム構成］
図１は、実施例１の無段変速機の変速油圧制御装置及び制御方法が適用されたエンジン車の駆動系と制御系を示し、図２は、バリエータ４の変速油圧制御を実行する際に用いられる変速スケジュールの一例を示す。以下、図１及び図２に基づいて、全体システム構成を説明する。【００１３】
エンジン車の駆動系は、図１に示すように、エンジン１と、トルクコンバータ２と、前後進切替機構３と、バリエータ４（ベルト式無段変速機構）と、終減速機構５と、駆動輪６，６と、を備えている。【００１４】
エンジン１は、ドライバによるアクセル操作による出力トルクの制御以外に、外部からのエンジン制御信号により出力トルクが制御可能である。このエンジン１には、スロットルバルブ開閉動作や燃料カット動作等により出力トルク制御を行う出力トルク制御アクチュエータ１０を有する。【００１５】
トルクコンバータ２は、トルク増大機能を有する発進要素であり、トルク増大機能を必要としないとき、エンジン出力軸１１（＝トルクコンバータ入力軸）とトルクコンバータ出力軸２１を直結可能なロックアップクラッチ２０を有する。このトルクコンバータ２は、エンジン出力軸１１にコンバータハウジング２２を介して連結されたタービンランナ２３と、トルクコンバータ出力軸２１に連結されたポンプインペラ２４と、ケースにワンウェイクラッチ２５を介して設けられたステータ２６と、を構成要素とする。【００１６】
前後進切替機構３は、バリエータ４への入力回転方向を前進走行時の正転方向と後退走行時の逆転方向で切り替える機構である。この前後進切替機構３は、ダブルピニオン式遊星歯車３０と、複数枚のクラッチプレートによる前進クラッチ３１と、複数枚のブレーキプレートによる後退ブレーキ３２と、を有する。前進クラッチ３１は、Ｄレンジ等の前進走行レンジ選択時に前進クラッチ圧Pfcにより油圧締結される。後退ブレーキ３２は、Ｒレンジ等の後退走行レンジ選択時に後退ブレーキ圧Prbにより油圧締結される。なお、前進クラッチ３１と後退ブレーキ３２は、Ｎレンジ（ニュートラルレンジ、非走行レンジ）の選択時、前進クラッチ圧Pfcと後退ブレーキ圧Prbをドレーンすることで、いずれも解放される。【００１７】
バリエータ４は、プライマリプーリ４２と、セカンダリプーリ４３と、プーリベルト４４と、を有し、ベルト接触径の変化により変速比（バリエータ入力回転速度とバリエータ出力回転速度の比）を無段階に変化させる無段変速機能を備える。プライマリプーリ４２は、バリエータ入力軸４０の同軸上に配された固定プーリ４２ａとスライドプーリ４２ｂにより構成され、スライドプーリ４２ｂは、プライマリ圧室４５に導かれるプライマリ圧Ppriによりスライド動作する。セカンダリプーリ４３は、バリエータ出力軸４１の同軸上に配された固定プーリ４３ａとスライドプーリ４３ｂにより構成され、スライドプーリ４３ｂは、セカンダリ圧室４６に導かれるセカンダリ圧Psecによりスライド動作する。プーリベルト４４は、プライマリプーリ４２のＶ字形状をなすシーブ面と、セカンダリプーリ４３のＶ字形状をなすシーブ面に掛け渡されている。このプーリベルト４４は、環状リングを内から外へ多数重ね合わせた２組の積層リングと、打ち抜き板材により形成され、２組の積層リングに沿って挟み込みにより環状に積層して取り付けられた多数のエレメントにより構成されている。なお、プーリベルト４４としては、プーリ進行方向に多数配列したチェーンエレメントを、プーリ軸方向に貫通するピンにより結合したチェーンタイプのベルトであっても良い。【００１８】
終減速機構５は、バリエータ出力軸４１からのバリエータ出力回転速度を減速すると共に差動機能を与えて左右の駆動輪６，６に伝達する機構である。この終減速機構５は、減速ギア機構として、バリエータ出力軸４１に設けられた第１ギア５２と、アイドラ軸５０に設けられた第２ギア５３及び第３ギア５４と、デフケースの外周位置に設けられた第４ギア５５と、を有する。そして、差動ギア機構として、左右のドライブ軸５１，５１に介装されたディファレンシャルギア５６を有する。【００１９】
エンジン車の制御系は、図１に示すように、油圧制御系である油圧制御ユニット７と、電子制御系であるＣＶＴコントロールユニット８と、を備えている。【００２０】
油圧制御ユニット７は、プライマリ圧室４５に導かれるプライマリ圧Ppriと、セカンダリ圧室４６に導かれるセカンダリ圧Psecと、前進クラッチ３１への前進クラッチ圧Pfcと、後退ブレーキ３２への後退ブレーキ圧Prbと、を調圧するユニットである。この油圧制御ユニット７は、走行用駆動源であるエンジン１により回転駆動されるオイルポンプ７０と、オイルポンプ７０からの吐出圧に基づいて各種の制御圧を調圧する油圧制御回路７１と、を備える。油圧制御回路７１には、ライン圧ソレノイドバルブ７２と、プライマリ圧ソレノイドバルブ７３と、セカンダリ圧ソレノイドバルブ７４と、前進クラッチ圧ソレノイドバルブ７５と、後退ブレーキ圧ソレノイドバルブ７６と、を有する。なお、各ソレノイドバルブ７２，７３，７４，７５，７６は、ＣＶＴコントロールユニット８から出力されるデューティ指令値によって、ON/OFF比率（デューティ比）を異ならせることにより各指令圧に調圧する。【００２１】
ライン圧ソレノイドバルブ７２は、ＣＶＴコントロールユニット８から出力されるライン圧指令値に応じ、オイルポンプ７０からの吐出圧を、指令されたライン圧PLに調圧する。このライン圧PLは、各種の制御圧を調圧する際の元圧であり、駆動系を伝達するトルクに対してベルト滑りやクラッチ滑りを抑える油圧とされる。【００２２】
プライマリ圧ソレノイドバルブ７３は、ＣＶＴコントロールユニット８から出力されるプライマリ圧指令値に応じ、ライン圧PLを元圧として指令されたプライマリ圧Ppriに減圧調整する。セカンダリ圧ソレノイドバルブ７４は、ＣＶＴコントロールユニット８から出力されるセカンダリ圧指令値に応じ、ライン圧PLを元圧として指令されたセカンダリ圧Psecに減圧調整する。【００２３】
前進クラッチ圧ソレノイドバルブ７５は、ＣＶＴコントロールユニット８から出力される前進クラッチ圧指令値に応じ、ライン圧PLを元圧として指令された前進クラッチ圧Pfcに減圧調整する。後退ブレーキ圧ソレノイドバルブ７６は、ＣＶＴコントロールユニット８から出力される後退ブレーキ圧指令値に応じ、ライン圧PLを元圧として指令された後退ブレーキ圧Prbに減圧調整する。【００２４】
ＣＶＴコントロールユニット８は、ライン圧制御や変速油圧制御や前後進切替制御、等を行う。ライン圧制御では、スロットル開度等に応じた目標ライン圧を得る指令値をライン圧ソレノイドバルブ７２に出力する。変速油圧制御では、目標変速比（目標プライマリ回転速度Npri*）を決めると、決めた目標変速比（目標プライマリ回転速度Npri*）を得る指令値をプライマリ圧ソレノイドバルブ７３及びセカンダリ圧ソレノイドバルブ７４に出力する。前後進切替制御では、選択されているレンジ位置に応じて前進クラッチ３１と後退ブレーキ３２の締結/解放を制御する指令値を前進クラッチ圧ソレノイドバルブ７５及び後退ブレーキ圧ソレノイドバルブ７６に出力する。【００２５】
ＣＶＴコントロールユニット８には、プライマリプーリ回転速度センサ８０、車速センサ８１、セカンダリ圧センサ８２、油温センサ８３、インヒビタースイッチ８４、ブレーキスイッチ８５、アクセル開度センサ８６、プライマリ圧センサ８７、前後Ｇセンサ８９、等からのセンサ情報やスイッチ情報が入力される。また、エンジン回転速度センサ１２からのセンサ情報が入力されるエンジンコントロールユニット８８からは、エンジントルク情報を入力し、エンジンコントロールユニット８８へはエンジントルクリクエストを出力する。なお、プライマリプーリ回転速度センサ８０は、プライマリプーリ回転速度をパルス波信号のカウント回数であるパルスカウント数により検出するセンサである。車速センサ８１も同様に、変速機出力回転速度をパルス波信号のカウント回数であるパルスカウント数により検出するセンサである。インヒビタースイッチ８４は、選択されているレンジ位置（Ｄレンジ，Ｎレンジ，Ｒレンジ等）を検出し、レンジ位置に応じたレンジ位置信号を出力する。【００２６】
ここで、ＣＶＴコントロールユニット８で実行される通常の変速油圧制御は、車速センサ８１により検出された車速VSPと、アクセル開度センサ８６により検出されたアクセル開度APOにより特定される図２の変速スケジュール上での運転点（VSP,APO）により、目標プライマリ回転速度Npri*を決めることで行われる。【００２７】
変速スケジュールは、図２に示すように、運転点（VSP,APO）に応じて最Low変速比と最High変速比による変速比幅の範囲内で変速比を無段階に変更するように設定されている。例えば、車速VSPが一定のときは、アクセル踏み込み操作を行うと目標プライマリ回転速度Npri*が上昇してダウンシフト方向に変速し、アクセル踏み込み戻し操作を行うと目標プライマリ回転速度Npri*が低下してアップシフト方向に変速する。アクセル開度APOが一定のときは、車速VSPが上昇するとアップシフト方向に変速し、車速VSPが低下するとダウンシフト方向に変速する。【００２８】
［セカンダリ圧油路構成］
図３は、エンジン車のパワーユニット室に車体への弾性支持により搭載されるベルト式無段変速機ユニット９の外観を示す。以下、図３に基づいて、セカンダリ圧油路構成を説明する。【００２９】
ベルト式無段変速機ユニット９は、図３に示すように、トランスミッションケース９０と、ケース一側面開口に固定されるサイドカバー９１と、ケース他側面開口に固定されるコンバータケース９２と、ケース底面開口に固定されるオイルパン９３と、を有する。そして、トランスミッションケース９０とサイドカバー９１により形成される空間に、前後進切替機構３とバリエータ４と終減速機構５と油圧制御回路７１が内蔵されている。また、コンバータケース９２により形成される空間にトルクコンバータ２が内蔵されていて、コンバータケース９２は、エンジン１と結合される。【００３０】
ベルト式無段変速機ユニット９は、エンジン１と結合させることでパワーユニットを構成し、このパワーユニットは、フロント側のパワーユニット室にエンジン横置きにて配置され、複数のパワーユニットマウントを介して車体へ弾性支持される。【００３１】
サイドカバー９１は、バリエータ４のプライマリプーリ４２のプーリ軸の軸端部を支持すると共に、セカンダリプーリ４３のプーリ軸の軸端部を支持する。そして、サイドカバー９１には、図３に示すように、オイルポンプ７０から油圧制御回路７１を経由し、セカンダリプーリ４３のセカンダリ圧室４６にセカンダリ圧Psecを導くセカンダリ圧油路９４が形成されている。さらに、サイドカバー９１には、図３に示すように、ユニット側マウントブラケット９５が固定されている。つまり、セカンダリ圧油路９４とユニット側マウントブラケット９５とは、サイドカバー９１において互いに近接する位置に配されている。【００３２】
［変速油圧制御処理構成］
図４は、実施例１のＣＶＴコントロールユニット８で実行される変速油圧制御処理の流れを示す。以下、変速油圧制御処理構成をあらわす図４の各ステップについて説明する。なお、この変速油圧制御処理は、走行レンジ（Ｄレンジ又はＲレンジ）を選択しているときに実行される。【００３３】
ステップＳ１では、アクセルOFF・ブレーキONの状況で車両が停車中であるか否かを判断する。YES（停車中）の場合はステップＳ２へ進み、NO（走行中）の場合はステップＳ６へ進む。ここで、アクセルOFFの情報はアクセル開度センサ８６から取得し、ブレーキONの情報はブレーキスイッチ８５から取得する。停車中であるか否かの判断は、バリエータ４の出力回転速度を検出する車速センサ８１からの車速情報を用い、車速センサ値が停車判定値を示すと停車中であると判断する。【００３４】
ステップＳ２では、ステップＳ１での停車中であるとの判断に続き、車両が停車している路面が平地であるか否かを判断する。YES（平地）の場合はステップＳ３へ進み、NO（勾配地）の場合はステップＳ６へ進む。ここで、停車路面が平地であるか否かの判断は、前後Ｇセンサ８９からのセンサ値が、平地判定下限値≦前後Ｇセンサ値≦平地判定上限値であるとき、停車路面が平地であると判断する。平地判定下限値＞前後Ｇセンサ値、又は、前後Ｇセンサ値＞平地判定上限値であるとき、停車路面が勾配地であると判断する。【００３５】
ステップＳ３では、ステップＳ２での平地であるとの判断に続き、エンジン回転速度がアイドル回転判定値以下であるか否かを判断する。YES（エンジン回転速度≦アイドル回転判定値）の場合はステップＳ４へ進み、NO（エンジン回転速度＞アイドル回転判定値）の場合はステップＳ６へ進む。ここで、エンジン回転速度の情報は、エンジン回転速度センサ１２から取得する。「アイドル回転判定値」は、エンジン１の回転速度がアイドル回転速度域まで低下した状態になったことを示す値に設定される。【００３６】
ステップＳ４では、ステップＳ３でのエンジン回転速度≦アイドル回転判定値であるとの判断に続き、プライマリプーリ回転速度センサ８０からのパルス波信号をチェックすることによりプライマリプーリ回転速度が低回転状態になったか否かを判断する。YES（プライマリプーリ回転速度が低回転状態になった）の場合はステップＳ５へ進み、NO（プライマリプーリ回転速度が低回転状態になっていない）の場合はステップＳ６へ進む。ここで、プライマリプーリ回転速度の低回転状態判断を行う際は、プライマリプーリ回転速度センサ８０からパルス波信号が入力されると、パルス波信号のダウンエッジからタイマー値のカウントを開始する。そして、タイマー値が閾値（例えば、0.5sec）を経過しても次のパルス波信号が入力されないとプライマリプーリ回転速度が低回転状態になったと判断する。つまり、タイマー値が閾値を経過する前に次のパルス波信号が入力されると、プライマリプーリ回転速度は、未だに低回転状態になっていないと判断する。タイマー値の閾値は、セカンダリ圧Psecを低下させてもバリエータ４がアップシフト側に変速比が変化しないプーリ回転停止状態のプーリ回転速度になったことを判断するのに必要な時間に設定される。【００３７】
ステップＳ５では、ステップＳ４でのプライマリプーリ回転速度が低回転状態になったとの判断に続き、セカンダリ圧Psecを低下させる規制が無いか否かを判断する。YES（セカンダリ圧低下規制無し）の場合はステップＳ６へ進み、NO（セカンダリ圧低下規制有り）の場合はステップＳ６へ進む。ここで、セカンダリ圧Psecの低下規制判断とは、例えば、実施例１のノイズ低減制御以外の他の変速油圧制御の介入によりセカンダリ圧Psecを上昇させている場合、セカンダリ圧Psecの低下規制有りと判断する。そして、ステップＳ７以降のノイズ低減制御処理を実行しない。【００３８】
ステップＳ６では、ステップＳ１，Ｓ２，Ｓ３，Ｓ４，Ｓ５の何れかのステップでNOであるとの判断に続き、通常の変速油圧制御を実行し、リターンへ進む。ここで、通常の変速油圧制御とは、実プライマリ回転速度Npriが目標プライマリ回転速度Npri*に収束するように、プライマリ圧Ppriとセカンダリ圧Psecの差圧をフィードバック制御することをいう。このとき、プライマリ圧Ppriとセカンダリ圧Psecの片方のみを低下させたり上昇させたりするのではなく、両圧Ppri,Psecを低下させたり上昇させたとすることで、プライマリプーリ４２とセカンダリプーリ４３とのバランス推力を保つようにしている。【００３９】
ステップＳ７では、ステップＳ５でのセカンダリ圧低下規制無しであるとの判断に続き、プライマリ指令圧の下限圧（PRI下限圧）を、プライマリ下限圧Ｂまで上昇させ、ステップＳ８へ進む。なお、ステップＳ５にてセカンダリ圧低下規制無しと判断されると、ステップＳ１，Ｓ２，Ｓ３，Ｓ４，Ｓ５によるノイズ低減制御の入り条件が成立したと判断され、ノイズ低減制御を開始する制御進入フラグが立てられる。ここで、「プライマリ下限圧Ｂ」は、プライマリプーリ４２とセカンダリプーリ４３とのバランス推力により設定されるプライマリ圧Ppriより高い油圧であり、かつ、アイドル回転状態であるエンジン１から入力されるトルクに対してベルト滑りが発生しない油圧（例えば、0.7MPa）に設定される。【００４０】
ステップＳ８では、ステップＳ７でのPRI下限圧をPRI下限圧Ｂまで上昇、或いは、ステップＳ１２での抜け条件不成立であるとの判断に続き、実セカンダリ圧Psecが、セカンダリ目標圧Ａにヒステリシス分αを加えた値以上であるか否かを判断する。YES（実SEC圧≧Ａ＋α）の場合はステップＳ９へ進み、NO（実SEC圧＜Ａ＋α）の場合はステップＳ１０へ進む。ここで、「実セカンダリ圧Psec」の情報は、セカンダリ圧センサ８２からのセンサ信号により取得される。「セカンダリ目標圧Ａ」は、実験により確認されたオイルポンプノイズが低減されるセカンダリ圧領域の最大圧（例えば、0.8MPa）に設定される。「ヒステリシス分α」は、セカンダリ圧Psecの油圧制御ハンチングを抑える値に設定される。【００４１】
ステップＳ９では、ステップＳ８での実SEC圧≧Ａ＋αであるとの判断に続き、セカンダリ圧ソレノイドバルブ７４へ出力するセカンダリ圧指令値によるセカンダリ指令圧を下げ、ステップＳ１２へ進む。ここで、実SEC圧が（Ａ＋α）から所定圧以上離れている領域においては、セカンダリ指令圧を急勾配の指令圧低下特性にて下げ、実SEC圧が（Ａ＋α）から所定圧未満まで近づくと、セカンダリ指令圧の低下特性の勾配を緩やかにする。つまり、実SEC圧の低下制御においては、応答性（急勾配）と収束性（緩勾配）を両立させるようにセカンダリ指令圧の低下勾配を決めている。【００４２】
ステップＳ１０では、ステップＳ８での実SEC圧＜Ａ＋αであるとの判断に続き、実セカンダリ圧Psecがセカンダリ目標圧Ａ以下であるか否かを判断する。YES（実SEC圧≦Ａ）の場合はステップＳ１１へ進み、NO（実SEC圧＞Ａ）の場合はステップＳ１２へ進む。なお、「セカンダリ目標圧Ａ」は、ステップＳ８と同じ値である。【００４３】
ステップＳ１１では、ステップＳ６での実SEC圧≦Ａであるとの判断に続き、そのときのセカンダリ指令圧（SEC指令圧）をそのまま維持し、ステップＳ１２へ進む。【００４４】
ステップＳ１２では、ステップＳ９でのSEC指令圧の下げ、或いは、ステップＳ１０での実SEC圧＞Ａであるとの判断、或いは、ステップＳ１１でのSEC圧維持に続き、ノイズ低減制御を終了する抜け条件が成立したか否かを判断する。YES（抜け条件成立）の場合はステップＳ１３へ進み、NO（抜け条件不成立）の場合はステップＳ８へ戻る。ここで、抜け条件の不成立/成立判断は、下記の６つの条件が全て不成立である間は抜け条件不成立と判断し、下記の６つの条件のうち１つの条件が成立すると抜け条件成立と判断する。具体的な６つの条件は、
1.制御開始後のプライマリパルスカウント数≧閾値（例えば、４回）
なお、セカンダリ回転速度センサが設けられている場合には、制御開始後のセカンダリパルスカウント数≧閾値としても良い。
2.ブレーキOFF
3.実SEC圧≦SEC必要圧となってａ時間が経過
4.アクセルON
5.走行レンジ以外へのセレクト操作
6.フェイル判定
である。【００４５】
ここで、「3.実SEC圧≦SEC必要圧となってａ時間が経過」とは、図５に示すように、SEC実圧がSEC必要圧（セカンダリ目標圧Ａより低い油圧）以下になったままでａ時間が経過するタイミングをいう。このタイミングは、SEC実圧がセカンダリ目標圧Ａ以下になった後、F/B後SEC指令圧を上昇させているにもかかわらず、SEC実圧が低下を続けている状況のときであり、何らかの原因によりSEC実圧が容量不足に陥ったと判断されるタイミングである。なお、「SEC必要圧」とは、エンジン１からトルクコンバータ２を経由してバリエータ４へ入力される入力トルクに相当するセカンダリ圧Psecをいう。但し、バリエータ４への入力トルクは、トルクコンバータ２のトルク容量τとエンジン回転速度Neを用いた（入力トルク≒τNe2）の式により計算される。【００４６】
ステップＳ１３では、ステップＳ１２での抜け条件成立であるとの判断に続き、PRI下限圧Ｂにより低下を抑えたプライマリ指令圧を低下させて元に戻すと共に、低下させたセカンダリ指令圧を上昇させて元に戻し、リターンへ進む。このステップＳ１３では、ステップＳ１２にてノイズ低減制御の抜け条件が成立したと判断されると、制御中に立てていた制御進入フラグが降ろされる。【００４７】
次に、作用を説明する。実施例１の作用を、「変速油圧制御処理作用」、「変速油圧制御の背景技術と課題」、「変速油圧制御作用」、「変速油圧制御の特徴作用」に分けて説明する。【００４８】
［変速油圧制御処理作用］
以下、図４に示すフローチャートに基づいて、変速油圧制御処理作用を説明する。先ず、アクセルON・ブレーキOFFによる走行時、或いは、アクセルOFF・ブレーキONによる減速走行時、或いは、アクセルOFF・ブレーキONであるが停車条件が成立しないときは、ステップＳ１→ステップＳ６→リターンへと進む流れが繰り返される。ステップＳ６では、通常の変速油圧制御が実行される。【００４９】
停車条件は成立するが、平地条件が成立しないときは、ステップＳ１→ステップＳ２→ステップＳ６→リターンへと進む流れが繰り返される。ステップＳ６では、通常の変速油圧制御が実行される。【００５０】
停車条件と平地条件は成立するが、アイドル回転条件が成立しないときは、ステップＳ１→ステップＳ２→ステップＳ３→ステップＳ６→リターンへと進む流れが繰り返される。ステップＳ６では、通常の変速油圧制御が実行される。【００５１】
停車条件と平地条件とアイドル回転条件は成立するが、プーリ低回転条件が成立しないときは、ステップＳ１→ステップＳ２→ステップＳ３→ステップＳ４→ステップＳ６→リターンへと進む流れが繰り返される。ステップＳ６では、通常の変速油圧制御が実行される。【００５２】
停車条件と平地条件とアイドル回転条件とプーリ低回転条件は成立するが、SEC圧低下規制無し条件が成立しないときは、ステップＳ１→ステップＳ２→ステップＳ３→ステップＳ４→ステップＳ５→ステップＳ６→リターンへと進む流れが繰り返される。ステップＳ６では、通常の変速油圧制御が実行される。【００５３】
停車条件と平地条件とアイドル回転条件とプーリ低回転条件とSEC圧低下規制無し条件が成立するときは、ステップＳ１→ステップＳ２→ステップＳ３→ステップＳ４→ステップＳ５→ステップＳ７へと進む。ステップＳ７では、ノイズ低減制御の入り条件が成立したことで、プライマリ下限圧をプライマリ下限圧Ｂまで上昇させる制御が行われる。【００５４】
続いて、ステップＳ８→ステップＳ９→ステップＳ１２へと進み、ステップＳ８では、実セカンダリ圧Psecが、セカンダリ目標圧Ａにヒステリシス分αを加えた値以上であるか否かが判断される。そして、実SEC圧≧Ａ＋αと判断されている間、ステップＳ８→ステップＳ９→ステップＳ１２へと進む流れが繰り返され、ステップＳ９では、セカンダリ圧ソレノイドバルブ７４へ出力するセカンダリ圧指令値によるセカンダリ指令圧を下げる制御が開始される。【００５５】
セカンダリ指令圧を下げる制御が開始されたことで、実SEC圧＜Ａ＋αであると判断されると、ステップＳ８からステップＳ１０へ進み、ステップＳ１０にて実SEC圧＞Ａと判断されている間は、ステップＳ８→ステップＳ１０→ステップＳ１２へと進む流れが繰り返される。この間は、それまでの制御を引き継ぎ、セカンダリ指令圧が下げられる。【００５６】
ステップＳ１０にて実SEC圧≦Ａと判断されると、ステップＳ８からステップＳ１０→ステップＳ１１→ステップＳ１２へと進む流れが繰り返され、ステップＳ１１では、そのときのセカンダリ指令圧がそのまま維持される。セカンダリ指令圧を維持したことで、実SEC圧＞Ａになると、実SEC圧≧Ａ＋αと判断されるまでの間は、ステップＳ８→ステップＳ１０→ステップＳ１２へと進む流れが繰り返される。この間は、それまでの制御を引き継ぎ、セカンダリ指令圧が維持される。このように、セカンダリ指令圧を下げる制御動作とセカンダリ指令圧を維持する制御動作とを繰り返すことで、実セカンダリ圧Psecがセカンダリ目標圧Ａまで下げられる。【００５７】
その後、ノイズ低減制御を終了する抜け条件が成立すると、ステップＳ１２からステップＳ１３→リターンへ進む。ステップＳ１３では、制御進入フラグが降ろされ、PRI下限圧Ｂにより低下を抑えたプライマリ指令圧を低下させて元に戻す制御が行われると共に、低下させたセカンダリ指令圧を上昇させて元に戻す制御が行われる。【００５８】
このように、Ｄレンジ又はＲレンジの選択時、セカンダリ圧Psecを低下させてもバリエータ４がアップシフト側に変速しないプーリ回転速度になると、実セカンダリ圧Psecをセカンダリ目標圧Ａまで低下させる。この実セカンダリ圧Psecを低下させる制御により、車両状態が停車直前状態又は停車状態において、“オイルポンプノイズ”と呼ばれる騒音を低減し、音振性能を改善するようにしている。【００５９】
そして、実セカンダリ圧Psecを低下させる制御を行うことにより、プーリベルト４４のベルトクランプ力が低下し、実セカンダリ圧Psecの低下を原因とするベルト滑りの発生が懸念される。しかし、このベルト滑りに対しては、実セカンダリ圧Psecを低下に伴って低下しようとする実プライマリ圧Ppriをプライマリ下限圧Ｂにより持ち上げ、実プライマリ圧Ppriがプライマリ下限圧Ｂより低下しないようにすることで防止している。【００６０】
［変速油圧制御の背景技術と課題］
先ず、ＤレンジやＲレンジでの停車中にオイルポンプノイズが発生することがユーザから指摘された。特に、道路ノイズやエンジン音等が走行中に比べて小さい停車直前状態や停車状態において、オイルポンプノイズが発生すると、運転者にとって違和感になりやすく、音振性能を改善してほしいという要求があった。【００６１】
この音振性能の改善要求に対し、本発明者等がオイルポンプノイズの発生原因を調査したところ、オイルポンプノイズは元々ライン圧に依存性を持っているが、車両共振領域を過ぎてからはライン圧依存性が弱くなり、セカンダリ圧依存性を持つことが分かった。そこで、エンジン１により駆動されるオイルポンプ７０からセカンダリプーリ４３までのセカンダリ圧油路９４に注目した（図３）。このセカンダリ圧油路９４に注目すると、セカンダリ圧油路９４を通過するセカンダリ圧Psecの変動成分を加振源とし、セカンダリ圧油路９４に近接して設けられたユニット側マウントブラケット９５との共振により“オイルポンプノイズ”が発生することが判明した。【００６２】
そして、セカンダリ圧Psecを調圧するセカンダリ圧ソレノイドバルブ７４は、ON/OFF動作を繰り返して調圧するため、図７のSEC実圧特性に示すように、油圧が変動する脈動油圧になる。このように、オイルポンプノイズの加振源が、セカンダリ圧Psecの変動成分にあることから、セカンダリ圧Psecを低減すると、オイルポンプノイズが低減され、音振性能が改善することを知見した。なお、セカンダリ圧Psecを低減するとオイルポンプノイズが低減される理由は、セカンダリ圧Psecを低減することにより、加振源になる変動成分（脈動油圧の振幅）も小さく抑えられることによると思われる。【００６３】
しかし、オイルポンプノイズを低減することだけに着目し、車両状態を考慮することなくセカンダリ圧Psecを低減すると、例えば、走行中においては、ベルト滑りが発生したり、意図しない変速が発生したりする、という課題がある。つまり、走行中にセカンダリ圧Psecを低減すると、セカンダリプーリ４３によるプーリベルト４４のクランプ力が低下し、ベルト伝達トルクがプーリ挟持トルクを上回り、ベルト滑りが発生する。また、走行中にセカンダリ圧Psecを低減すると、セカンダリプーリ４３のプーリ幅が拡大し、プーリベルト４４のセカンダリプーリ４３に対する巻き付き位置がプーリ回転に伴ってプーリ内径方向に移動し、意図しないアップシフト変速が発生する。【００６４】
［変速油圧制御作用］
以下、図６に示すタイムチャートに基づいて、変速油圧制御作用を説明する。時刻t1にてアクセル足放し操作を行った後、時刻t2にてブレーキ踏み込み操作を行って車両を停止させるとき、通常の変速油圧制御が実行され、運転点（VSP,APO）が図２のＣ点→Ｄ点→Ｅ点→Ｆ点→Ｇ点へと進み、車速VSPが低下する。【００６５】
つまり、運転点（VSP,APO）が図２のＣ点のときにアクセル足放し操作を行うと、図２のＤ点へ移動し、バリエータ４の変速比はアップシフト方向に変速される。そして、図２のＤ点に移動した後、ブレーキ踏み込み操作を行って減速すると、コースト変速線に沿って最High変速比を維持したままで運転点（VSP,APO）が図２のＤ点からＥ点へ移動する。そして、図２のＥ点からは、車速VSPの低下に伴ってバリエータ４の変速比は最High変速比からダウンシフト方向に変速しながらＦ点へ移動する。図２の最Low変速比によるＦ点に到達すると、最Low変速比を保ったままで目標プライマリ回転速度Npri*が低下し、車速VSPがゼロのＧ点へと移動する。【００６６】
その後、時刻t3にて車速センサ値により車両停止が判定され、時刻t4にて前後Ｇセンサ値により路面勾配が平地であると判定され、時刻t5にてエンジン回転速度センサ値によりアイドル回転域まで低下したと判定される。しかし、これらの条件はノイズ低減制御の入り条件の一部であり、これらの条件が成立したとしてもノイズ低減制御が開始されることはない。【００６７】
その後、時刻t6にてプライマリプーリ回転速度センサ８０からパルス波信号のダウンエッジが検出されると、ダウンエッジからタイマー値のカウントが開始される。そして、タイマー値が閾値（例えば、0.5sec）を経過した時刻t7になっても次のパルス波信号が入力されないとプライマリプーリ回転速度が低回転状態になったと判断され、ノイズ低減制御が開始される。制御開始時刻t7になると、制御進入フラグが、制御進入フラグ＝０から制御進入フラグ＝１に書き替えられ、セカンダリ指令圧を低下させる制御が開始され、プライマリ下限圧を、プライマリ下限圧Ｂまで上昇させる制御が行われる。【００６８】
ここで、図６の矢印Ｈで囲まれるセカンダリ指令圧を低下させる制御を、図６の矢印Ｈで囲まれる領域を拡大した図７に基づいて詳細に説明する。制御開始時刻t7からセカンダリ目標圧Ａまで乖離している時刻t8までは、セカンダリ指令圧が急勾配の低下特性により下げられる。時刻t8から実SEC圧≦Ａと判断される時刻t9までは、セカンダリ指令圧が緩勾配の低下特性により下げられる。時刻t9から実SEC圧≧Ａ＋αと判断される時刻t10までは、時刻t9でのセカンダリ指令圧がそのまま維持される。時刻t10から実SEC圧≦Ａと判断される時刻t11までは、セカンダリ指令圧が緩勾配の低下特性により下げられる。時刻t11から実SEC圧≧Ａ＋αと判断される時刻t12までは、時刻t11でのセカンダリ指令圧がそのまま維持される。時刻t12から実SEC圧≦Ａと判断される時刻t13までは、セカンダリ指令圧が緩勾配の低下特性により下げられる。時刻t13以降は、Ａ＜実SEC圧＜Ａ＋αであるため、時刻t13でのセカンダリ指令圧がそのまま維持される。【００６９】
実セカンダリ圧Psecがセカンダリ目標圧Ａまで下げられた後、時刻t14にてプライマリプーリ回転速度センサ８０からパルス波信号のダウンエッジが検出される（ｎ＝１）。さらに、時刻t15にてパルス波信号のダウンエッジが検出され（ｎ＝１）、時刻t16にてパルス波信号のダウンエッジが検出され（ｎ＝３）、時刻t17にてパルス波信号のダウンエッジが検出される（ｎ＝４）。この時刻t17にて制御開始後のプライマリパルスカウント数≧閾値というノイズ低減制御の抜け条件が成立し、ノイズ低減制御を終了する。制御終了時刻t17になると、制御進入フラグが、制御進入フラグ＝１から制御進入フラグ＝０に書き替えられ、セカンダリ指令圧がノイズ低減制御前に戻され、プライマリ下限圧が、プライマリ下限圧Ｂからノイズ低減制御前のプライマリ下限圧（比較例）に戻される。【００７０】
ここで、図６に示すタイムチャートは、“バリエータ４の変速比が変化しないプーリ回転速度となった”と判断して、セカンダリ圧低下制御を開始しているが、セカンダリ圧低下制御の開始後もプーリが僅かに回転している状況を描いている。これは、プーリ回転停止を判定しても、運転者が僅かにブレーキペダルを弛め車両がクリープ車速以下で前進するようなシーンがあることによる。又は、車両は前進していなくてプーリ回転停止を判定しても、プーリクランプ力が不足して、エンジンからプーリへの入力トルクに負けてベルトが滑ってプーリが回転するようなシーンがあることによる。従って、ノイズ低減制御の抜け（セカンダリ圧低下制御の終了）は、プライマリパルスカウント数≧閾値となったタイミング（時刻t17）になっている。【００７１】
一方、ノイズ低減制御開始以降、プーリ回転停止等によりプライマリパルスカウント数≧閾値になる前にブレーキON→OFFの操作がなされたときは、時刻t18にてノイズ低減制御の抜け条件が成立し、ノイズ低減制御を終了する。さらに、ノイズ低減制御開始以降、ブレーキON→OFF操作を確認できないまま、プライマリパルスカウント数≧閾値になる前にアクセルOFF→ONの操作がなされたときは、時刻t19にてノイズ低減制御の抜け条件が成立し、ノイズ低減制御を終了する。【００７２】
［変速油圧制御の特徴作用］
実施例１では、走行中、バリエータ４の目標変速比が決まると、目標変速比に応じて調圧されたプライマリ圧Priとセカンダリ圧Psecを、プライマリプーリ４２とセカンダリプーリ４３にそれぞれ供給する。セカンダリ圧Psecを低下させてもバリエータ４の変速比が変化しないプーリ回転速度になると、セカンダリ圧Psecを低下させる制御を開始する。【００７３】
即ち、“セカンダリ圧Psecを低下させてもバリエータ４の変速比が変化しないプーリ回転速度”とは、停車直前状態又は停車状態である。このような車両状態では、オイルポンプノイズ以外の音（道路ノイズやエンジン音等）が走行中に比べて小さく、運転者にとってオイルポンプノイズが違和感となりやすい。従って、このようにオイルポンプノイズ以外の音が小さい車両状態のときに、セカンダリ圧Psecを低下させる制御を開始することで、オイルポンプノイズを低減し、運転者への違和感を低減することができる。一方、停車直前状態や停車状態でない走行状態では、オイルポンプノイズが他の音に混じり、運転者へ与える違和感は低くなる。このような走行状態では、不必要にセカンダリ圧Psecを低減しないことで、ベルト滑りや意図しない変速が発生するおそれを低減することができる。このように、セカンダリ圧Psecを低下させてもバリエータ４の変速比が変化しないプーリ回転速度になると、セカンダリ圧Psecを低下させる制御を開始することで、オイルポンプノイズを低減することができる。そして、セカンダリ圧Psecを低下させてもバリエータ４の変速比が変化しないプーリ回転速度では、プーリベルト４４と両プーリ４２，４３との間で周方向の相対移動が生じないため、ベルト滑りや意図しない変速が発生することを抑制することができる。さらに、実施例１では、オイルポンプ７０を、走行用駆動源であるエンジン１により回転駆動されるポンプとしているため、セカンダリ圧Psecを低減することで、オイルポンプ駆動負荷が低減され、燃費が向上する。【００７４】
実施例１では、プライマリプーリ４２とセカンダリプーリ４３のうち、少なくとも一方のプーリ回転速度が停止状態になると、セカンダリ圧Psecを低下させてもバリエータ４の変速比が変化しないプーリ回転速度になったと判断する。【００７５】
即ち、“プーリ回転速度が停止状態となること”ではなく、“車両の停車判定”に基づきセカンダリ圧低下制御を開始することも考えられる。しかしながら、車両の停車判定は精度が粗く、停車判定が成立したタイミングでは、プーリが僅かに回転している状態であることがある。つまり、“プーリ回転速度が停止状態となること”は、プライマリプーリ回転速度センサ８０からのパルス波信号が所定時間（例えば、0.5sec）検知されないことに基づき判定される。“車両の停車判定”も、車速センサ８１からのパルス波信号が所定時間検知されないことに基づき判定されるが、停車判定における所定時間は、プーリ回転速度の停止状態を判定する所定時間より短い時間（例えば、0.3sec）に設定されている。従って、ノイズ低減制御は、車両の停車判定ではなく、プーリ回転速度が停止状態となることに基づき開始している。その結果、図６に示すタイムチャートにおいて、制御進入フラグが立つタイミング（時刻t7）は、車両の停車判定タイミング（時刻t3）よりも遅くなっている。このため、プーリ回転速度が停止している状態であると、セカンダリ圧Psecを低下させてもベルト滑りや意図しない変速が発生することがない。よって、プーリ回転速度が停止状態になると、セカンダリ圧Psecを低下する制御を開始することで、ベルト滑りや意図しない変速が発生することを確実に防止することができる。【００７６】
実施例１では、セカンダリ圧Psecを低下させる制御を開始した後、プライマリプーリ回転速度センサ８０からのパルスカウント数が閾値以上になると、セカンダリ圧Psecを低下させる制御を終了する。【００７７】
即ち、セカンダリ圧Psecの低下制御中にプライマリプーリ４２やセカンダリプーリ４３が回転していることが検知されると、プール回転に伴ってプーリベルト４４と両プーリ４２，４３とが周方向に相対移動し、意図しない変速が発生するおそれがある。従って、両プーリ４２，４３が回転していることをパルスカウント数により検知し、パルスカウント数が閾値以上になると、セカンダリ圧Psecを低下させる制御を終了するようにしている。これにより、セカンダリ圧Psecの低下制御中にプーリ回転状態が検知されたとき、バリエータ４での意図しない変速を防止することができる。ここで、“セカンダリ圧Psecを低下させる制御を終了する”とは、セカンダリ圧Psecの低下制御を開始する前の油圧までセカンダリ圧Psecを増大させることをいう。【００７８】
実施例１では、セカンダリ圧Psecを低下させる制御を行うとき、油圧低下による到達目標であるセカンダリ目標圧Ａを、オイルポンプ７０からの油圧系を加振源として発生するオイルポンプノイズが低減される油圧領域の最大圧に設定する。【００７９】
即ち、セカンダリ圧Psecを低下させることでオイルポンプノイズを低減できるが、セカンダリ圧Psecを低下させ過ぎると、その後の発進・加速に際して、セカンダリ圧Psecが不足し、駆動力不足やラグ（駆動力の発生遅れ）となる。従って、オイルポンプノイズを低減できる範囲内で極力セカンダリ目標圧Ａを高くしておくことで、オイルポンプノイズを低減しつつ、その後の発進・加速時の駆動力不足やラグを低減することができる。【００８０】
ここで、SEC実圧をセカンダリ目標圧Ａに向けて低下させるとき、SEC指令圧をどのように制御するかについて説明する（図７）。先ず、SEC指令圧の低下によりSEC実圧がセカンダリ目標圧Ａとなった時点で、SEC指令圧をキープ（その時のSEC指令圧を維持）する。即ち、SEC指令圧をセカンダリ目標圧Ａとしたいのではなく、SEC実圧をセカンダリ目標圧Ａとしたい。従って、SEC指令圧がセカンダリ目標圧Ａより高くても低くても、SEC実圧がセカンダリ目標圧Ａとなった時点でSEC指令圧はキープする。なお、その後、SEC実圧がセカンダリ目標圧Ａより低くなったら、F/B後SEC指令圧は増大させ、SEC実圧がセカンダリ目標圧Ａより高くなったらF/B後SEC指令圧は低下させる（SEC実圧がセカンダリ目標圧Ａとなるよう、SEC指令圧をF/B制御する）。【００８１】
実施例１では、セカンダリ圧Psecを低下させる制御を行うとき、プライマリ圧Ppriの油圧低下を抑えるプライマリ下限圧Ｂを、プライマリプーリ４２とセカンダリプーリ４３とのバランス推力により設定される油圧より高い油圧に設定する。【００８２】
例えば、セカンダリ圧Psecのみを低下すると、セカンダリプーリ４２とプライマリプーリ４３との推力差のバランスが崩れるため変速してしまう。そのため、通常の変速油圧制御では、セカンダリ圧Psecを低下させるとプライマリ圧Ppriも低下させる。しかし、セカンダリ圧Psecの低下制御時には、バランス推力を保つ通常の変速油圧制御でのプライマリ圧Ppriよりも油圧を低下させることとなるため、アイドル回転状態のエンジン１からの入力トルクに対してベルト滑りが発生するおそれがある。これに対し、プライマリ圧Ppriの油圧低下を抑えるプライマリ下限圧Ｂを、バランス推力に基づき設定される油圧より高い油圧に設定する。従って、アイドル回転状態のエンジン１から入力されるトルクに対してベルト滑りの発生を防止することができる。【００８３】
実施例１では、セカンダリプーリ４２へのセカンダリ指令圧（SEC指令圧）に対しセカンダリ実圧（SEC実圧）が低下し、セカンダリ指令圧とセカンダリ実圧との差分が所定値以上となったら、セカンダリ圧Psecを低下させる制御を終了する。【００８４】
例えば、コンタミ等の影響によりセカンダリ圧ソレノイドバルブ７４がスティックし、SEC指令圧に対してSEC実圧が追従できず大幅に低下してしまう場合は、オイルポンプノイズを低減できるものの、発進・加速時のベルト容量を確保できなくなるおそれがある。これに対し、SEC指令圧とSEC実圧との差分が所定値以上となったら、セカンダリ圧Psecを低下させる制御を終了する（図５）。このため、制御終了後の発進・加速時において、ベルト滑りを抑えるベルト容量を確保することができる。【００８５】
次に、効果を説明する。実施例１の無段変速機の変速油圧制御装置及び制御方法にあっては、下記に列挙する効果が得られる。【００８６】
(1)オイルポンプ７０と、バリエータ４と、変速油圧制御部（油圧制御ユニット７及びＣＶＴコントロールユニット８）と、を備える。バリエータ４は、プライマリプーリ４２と、セカンダリプーリ４３と、両プーリ４２，４３に掛け渡されるプーリベルト４４と、を有し、オイルポンプ７０からの吐出圧に基づいて調圧された変速油圧によりプーリ幅が変更されることで変速比が制御される。変速油圧制御部（油圧制御ユニット７及びＣＶＴコントロールユニット８）は、走行中、バリエータ４の目標変速比が決まると、目標変速比に応じて調圧されたプライマリ圧Ppriとセカンダリ圧Psecを、プライマリプーリ４２とセカンダリプーリ４３にそれぞれ供給する。そして、セカンダリ圧Psecを低下させてもバリエータ４の変速比が変化しないプーリ回転速度になると、セカンダリ圧Psecを低下させる制御を開始する。このため、ベルト滑りや意図しない変速が発生することを抑制しつつ、運転者にとって違和感になるオイルポンプノイズの発生を低減する無段変速機の変速油圧制御装置を提供することができる。【００８７】
(2)変速油圧制御部（油圧制御ユニット７及びＣＶＴコントロールユニット８）は、プライマリプーリ４２とセカンダリプーリ４３のうち、少なくとも一方のプーリ回転速度が停止状態になると、セカンダリ圧Psecを低下させてもバリエータ４の変速比が変化しないプーリ回転速度になったと判断する。このため、(1)の効果に加え、プーリ回転速度が停止状態になると、セカンダリ圧Psecを低下する制御を開始することで、ベルト滑りや意図しない変速が発生することを確実に防止することができる。【００８８】
(3)プライマリプーリ４２とセカンダリプーリ４３のうち少なくとも一方のプーリ回転速度を、パルス波信号のカウント回数であるパルスカウント数により検出するプーリ回転速度センサ（プライマリプーリ回転速度センサ８０）を設ける。変速油圧制御部（油圧制御ユニット７及びＣＶＴコントロールユニット８）は、セカンダリ圧Psecを低下させる制御を開始した後、プーリ回転速度センサ（プライマリプーリ回転速度センサ８０）からのパルスカウント数が閾値以上になると、セカンダリ圧Psecを低下させる制御を終了する。このため、(2)の効果に加え、セカンダリ圧Psecの低下制御中にプーリ回転状態が検知されたとき、バリエータ４での意図しない変速を防止することができる。【００８９】
(4)変速油圧制御部（油圧制御ユニット７及びＣＶＴコントロールユニット８）は、セカンダリ圧Psecを低下させる制御を行うとき、油圧低下による到達目標であるセカンダリ目標圧Ａを、オイルポンプ７０からの油圧系を加振源として発生するオイルポンプノイズが低減される油圧領域の最大圧に設定する。このため、(1)〜(3)の効果に加え、オイルポンプノイズを低減できる範囲内で極力セカンダリ目標圧Ａを高くしておくことで、オイルポンプノイズを低減しつつ、その後の発進・加速時の駆動力不足やラグを低減することができる。【００９０】
(5)変速油圧制御部（油圧制御ユニット７及びＣＶＴコントロールユニット８）は、セカンダリ圧Psecを低下させる制御を行うとき、プライマリ圧Ppriの油圧低下を抑えるプライマリ下限圧Ｂを、プライマリプーリ４２とセカンダリプーリ４３とのバランス推力により設定される油圧より高い油圧に設定する。このため、(1)〜(4)の効果に加え、アイドル回転状態のエンジン１から入力されるトルクに対してベルト滑りの発生を防止することができる。【００９１】
(6)変速油圧制御部（油圧制御ユニット７及びＣＶＴコントロールユニット８）は、セカンダリプーリ４２へのセカンダリ指令圧に対しセカンダリ実圧が低下し、セカンダリ指令圧とセカンダリ実圧との差分が所定値以上となったら、セカンダリ圧Psecを低下させる制御を終了する。このため、(1)〜(5)の効果に加え、制御終了後の発進・加速時において、ベルト滑りを抑えるベルト容量を確保することができる。【００９２】
(7)オイルポンプ７０と、バリエータ４と、を備える。バリエータ４は、プライマリプーリ４２と、セカンダリプーリ４３と、両プーリ４２，４３に掛け渡されるプーリベルト４４と、を有し、オイルポンプ７０からの吐出圧に基づいて調圧された変速油圧によりプーリ幅が変更されることで変速比が制御される。この車両（エンジン車）において、走行中、バリエータ４の目標変速比が決まると、目標変速比に応じて調圧されたプライマリ圧Priとセカンダリ圧Psecを、プライマリプーリ４２とセカンダリプーリ４３にそれぞれ供給する。セカンダリ圧Psecを低下させてもバリエータ４の変速比が変化しないプーリ回転速度になると、セカンダリ圧Psecを低下させる制御を開始する。このため、ベルト滑りや意図しない変速が発生することを抑制しつつ、運転者にとって違和感になるオイルポンプノイズの発生を低減する無段変速機の変速油圧制御方法を提供することができる。【００９３】
以上、本発明の無段変速機の変速油圧制御装置及び制御方法を実施例１に基づき説明してきた。しかし、具体的な構成については、この実施例1に限られるものではなく、特許請求の範囲の各請求項に係る発明の要旨を逸脱しない限り、設計の変更や追加等は許容される。【００９４】
実施例１では、セカンダリ圧Psecを低下させてもバリエータ４の変速比が変化しないプーリ回転速度となると、オイルポンプノイズの発生の有無にかかわらず、常にセカンダリ圧Psecの低下制御を実行する例を示した。しかし、オイルポンプノイズの発生の有無を検知するようにし、セカンダリ圧を低下させてもバリエータの変速比が変化しないプーリ回転速度となり、かつ、オイルポンプノイズの発生が検知された場合にのみ、セカンダリ圧の低下制御を実行する例としても良い。【００９５】
実施例１では、プライマリプーリ回転速度センサ８０を備えているため、プライマリプーリ回転速度センサ８０からのパルス波信号に基づいて、プライマリプーリ４２のプーリ回転速度の停止状態を判断するようにしている。しかし、プーリ回転速度の停止状態を判断する場合、プライマリプーリとセカンダリプーリのいずれの回転速度を検知して判断しても良いし、両プーリの回転速度を検知して判断しても良い。【００９６】
実施例１では、オイルポンプとして、走行用駆動源であるエンジン１により回転駆動されるオイルポンプ７０の例を示した。しかし、オイルポンプとしては、走行用駆動源とは独立であるモータにより回転駆動される電動オイルポンプであっても良いし、走行用駆動源により回転駆動されるメカオイルポンプと電動オイルポンプとの組み合わせポンプであっても良い。【００９７】
実施例１では、セカンダリ圧Psecを低下させる制御を行うとき、油圧低下による到達目標であるセカンダリ目標圧Ａを、ノイズ低減油圧領域の最大圧に予め設定する例を示した。しかし、制御入り条件が成立すると、バリエータに入力されるトルクでベルト滑りが生じないセカンダリ目標圧を決めるような例としても良いし、また、予め設定されているセカンダリ目標圧を、バリエータへの入力トルクで補正するような例としても良い。【００９８】
実施例１では、本発明の変速油圧制御装置及び制御方法を、バリエータのみによるベルト式無段変速機を搭載したエンジン車に適用する例を示した。しかし、本発明の変速油圧制御装置及び制御方法は、副変速機構とバリエータを組み合わせた副変速機付き無段変速機を搭載した車両に適用しても良い。また、適用される車両としても、エンジン車に限らず、ハイブリッド車や電気自動車などに対しても適用できる。
【図１】
0006700419.tif 000002
【図２】
0006700419.tif 000003
【図３】
0006700419.tif 000004
【図４】
0006700419.tif 000005
【図５】
0006700419.tif 000006
【図６】
0006700419.tif 000007
【図７】
0006700419.tif 000008